(57)【要約】【課題】竪樋継手や竪樋等の竪樋部材を簡単に接続できるとともに、外力によって竪樋部材が容易に外れることがなく、外観性に優れた雨水集水具への竪樋の接続構造を提供する。【解決手段】回転コネクタＢの内周面には一定間隔で円周方向に係止片４１が凸設され、雨水集水具Ａの落とし口２の外周面には、上記係止片４１を回転自在に弾性係止するための突条縁２１が周設され、上記回転コネクタＢは上記落とし口２に回転自在に係止されるとともに、所定個所で回転コネクタＢの回転を停止するためのストッパ機構が内設されてなる。【選択図】図４
2009079351.tif 000002
【特許請求の範囲】
【請求項１】
雨水集水具と回転コネクタとからなる竪樋接続構造であって、上記回転コネクタの内周面には一定間隔で円周方向に係止片が凸設され、上記雨水集水具の落とし口の外周面には、上記係止片を回転自在に弾性係止するための突条縁が周設され、上記回転コネクタは上記落とし口に回転自在に係止されるとともに、所定個所で回転コネクタの回転を停止するためのストッパ機構が内設されてなる竪樋接続構造。
【請求項２】
上記雨水集水具を略角筒形とし、上記回転コネクタを略円筒形の内筒と略角筒形の外筒とから構成し、該内筒と外筒とを支持桿により連結するとともに、上記内筒の内面上部には上記ストッパ機構を構成するストッパ用凹部が設けられた請求項１記載の竪樋接続構造。
【請求項３】
上記雨水集水具の落とし口の外周面に周設された突条縁の上方には上記ストッパ機構を構成する係合突起が一定間隔を開けて突設された請求項１記載の竪樋接続構造。
【請求項４】
上記雨水集水具と回転コネクタとが弾性を有する合成樹脂から成形されてなる請求項１記載の竪樋接続構造。
【発明の詳細な説明】
【技術分野】
【０００１】
本願発明は、集水器や集水ます等の雨水集水具と竪樋継手や竪樋等の竪樋部材を接続するための接続構造に関する。特に、外観性よく竪樋部材を接続するために用いられる竪樋接続構造に関する。
【背景技術】
【０００２】
屋根伝いに流下する雨水は、住宅等の軒先に取り付けられた軒樋に流れ込み、集水器や集水ます等の雨水集水具に集められるとともに、雨水集水具に取り付けられた継手リングを介して竪樋にそのまま、あるいはエルボの様な竪樋継手を経て排水される。従来、上記雨水集水具に取り付けられる継手リングに関しては各種の構造が提案されている。例えば、特開２００６−２２５８６２号公報には、構造が簡単で、かつ、多少の外力が加わっても竪樋部材が集水器から外れることのない、集水器への竪樋部材の接続構造が開示されている。
【０００３】
すなわち、本願図５に示すように、上記接続構造は、集水器３ａと継手リング１ａと竪樋部材２ａとからなり、該継手リング１ａはその上端部に周設された被係止縁１１ａが上記集水器３ａの落とし口３１ａに周設された継手リング係止縁３２ａに回転自在に係止され、上記継手リング１ａの内側の略中央部には抑え縁１２ａが、内側の下端部には接続縁１３ａがそれぞれ周設されるとともに、この接続縁１３ａには上記竪樋部材２ａの上端部に互いに外向きに突設された係止突起４ａが貫入する貫入隙間１３ｂが設けられた集水器への竪樋部材の接続構造Ｄが提案されている。
【０００４】
そして、集水器３ａの落とし口３１ａに回転自在に係止された継手リング１ａの内側の略中央部には抑え縁１２ａが、内側の下端部には接続縁１３ａがそれぞれ周設され、この接続縁１３ａには上記竪樋部材２ａの上端部に互いに外向きに突設された係止突起４ａが貫入する隙間が設けられているため、継手リング１ａを適当角度回転することにより、上記係止突起４ａが抑え縁１２ａと接続縁１３ａとに挟まれるようにしっかりと保持されると記載されている。さらに、上記接続縁１３ａに設けられた貫入隙間１３ｂを構成する端部には、ストッパ片１４ａが立設されているため、多少の外力が加えられても係止突起４ａが貫入隙間１３ｂから抜け落ちることを防ぎ、竪樋部材２ａが集水器３ａから外れることのない、竪樋部材の接続構造Ｄを提供できるとされている。
【特許文献１】特開２００６−２２５８６２号公報
【発明の開示】
【発明が解決しようとする課題】
【０００５】
しかしながら、上記集水器への竪樋部材の接続構造は、竪樋部材の上端部に突設された係止突起を狭い貫入隙間に貫入させ、さらに、適当角度回転させなければならず、装着操作が必ずしも容易とはいえないという問題がある。本発明はこのような問題を解決して、雨水集水具に回転コネクタを介して竪樋継手や竪樋等の竪樋部材を簡単に接続できるとともに、外力によって竪樋部材が雨水集水具から容易に外れることがなく、また外観性に優れた雨水集水具への竪樋の接続構造を提供することを、その課題とする。
【課題を解決するための手段】
【０００６】
上記課題を解決するために、本願請求項１記載の発明にかかる竪樋接続構造は、雨水集水具と回転コネクタとからなる竪樋接続構造であって、上記回転コネクタの内周面には一定間隔で円周方向に係止片が凸設され、上記雨水集水具の落とし口の外周面には、上記係止片を回転自在に弾性係止するための突条縁が周設され、上記回転コネクタは上記落とし口に回転自在に係止されるとともに、所定個所で回転コネクタの回転を停止するためのストッパ機構が内設されてなることを特徴としている。
【０００７】
上記雨水集水具と回転コネクタとは、弾性を有する同一材質から形成されるものが用いられ、例えば、鋼板、鋼板をプラスチック等でコーティングしたもの、ステンレススチール、銅等の弾性を有する金属板、硬質塩化ビニル樹脂、ポリプロピレン、ＡＢＳ樹脂、ポリカーボネート樹脂等弾性を有する合成樹脂を成形して得られたもの等を用いることができる。
【０００８】
本願請求項２記載の発明は、上記請求項１記載の発明において、上記雨水集水具を略角筒形とし、上記回転コネクタを略円筒形の内筒と略角筒形の外筒とから構成し、該内筒と外筒とを支持桿により連結するとともに、上記内筒の内面上部には上記ストッパ機構を構成するストッパ用凹部が設けられたことを特徴としている。
【０００９】
本願請求項３記載の発明は、上記雨水集水具の落とし口の外周面に周設された突条縁の上方には上記ストッパ機構を構成する係合突起が一定間隔を開けて突設されたことを特徴としている。
【００１０】
本願請求項４記載の発明は、上記請求項１記載の発明において、上記雨水集水具と回転コネクタとが弾性を有する合成樹脂から成形されてなることを特徴としている。
【発明の効果】
【００１１】
本願請求項１記載の発明に係る雨水集水具と回転コネクタとからなる竪樋接続構造においては、雨水集水具の落とし口の外周面に周設された突条縁に上記回転コネクタの内周面に一定間隔で円周方向に凸設され係止片が弾性係止することによって回転自在とされているため、位置決めを容易にできるとともに、回転コネクタを介して竪樋をしっかりと接続することができる。
【００１２】
また、ストッパ機構が内設されているため、所定個所で回転コネクタの位置決めをすることができ、また、強風等により回転コネクタが勝手に回転し、竪樋が外れたり、竪樋の納まり位置がずれて外観を損ねることを防ぐ。
【００１３】
本願請求項２記載の発明に係る竪樋接続構造においては、特に、上記雨水集水具を略角筒形とし、上記回転コネクタを略円筒形の内筒と略角筒形の外筒とから構成することにより、上記雨水集水具と回転コネクタとが外観的に類似したものとなるため、見映えのよいものとなる。また、内筒と外筒とが支持桿により連結されているため、強度が向上し、構造的にもしっかりとしたものとすることができる。
【００１４】
一方、上記内筒の内面上部には上記ストッパ機構を構成するストッパ用凹部が設けられているため、回転コネクタを回転させることにより、ストッパ用凹部は所定の位置で上記係合突起としっかりと係合し、位置決めすることができる。
【００１５】
本願請求項３記載の発明に係る竪樋接続構造においては、特に、上記雨水集水具の落とし口の外周面に周設された突条縁の上方に上記ストッパ機構を構成する係合突起を一定間隔で突設し、この係合突起を集水具本体と相対的な位置関係で前後、左右の４個所に設けることにより、回転コネクタを回転させて、内筒の内面上部に設けられたストッパ用凹部を所望の係合突起と係合させ、雨水集水具の面と回転コネクタの面とを同一の向きとすることができる。そして、外観性よく竪樋を接続することができる。
【００１６】
本願請求項３記載の発明に係る竪樋接続構造においては、特に、上記雨水集水具と回転コネクタとを弾性を有する合成樹脂から構成することにより、合成樹脂どうしが滑り性よく回転し、また、ストッパ機構がしっかりと弾性係合し、回転を止めることができる。弾性を有する合成樹脂としては硬質塩化ビニル樹脂、ポリプロピレン、ＡＢＳ樹脂、ポリカーボネート樹脂等をあげることができる。中でも、硬質塩化ビニル樹脂を用いて雨水集水具と回転コネクタと各個に一体成形することにより、安価に、成形性よく、本発明の雨水集水具と回転コネクタとを得ることができる。
【発明を実施するための最良の形態】
【００１７】
図１は、本願発明の実施形態にかかる雨水集水具Ａを示す斜視図である。この雨水集水具Ａは硬質塩化ビニル樹脂を一体成形して得られた角筒形であり、図外軒樋の端部に取り付けられ、集水ますとして、あるいは、軒樋どうしを接続し、両側の軒樋からの雨水を集めて竪樋に流下させる集水器として用いられる。
【００１８】
図２は、上記雨水集水具Ａを示す正面図である。図１、図２に示されるように、上記雨水集水具Ａは、集水具本体１と、流れ込んだ雨水を落とす筒状の落とし口２とからなり、落とし口２の外周面には突条縁２１が周設されている。また、上記突条縁２１の上方には、後記するストッパ用凹部に弾性的に嵌入する係合突起３１が前後、左右に９０度間隔で４個所突設されている。
【００１９】
図３は、上記雨水集水具Ａと共に竪樋接続構造を構成する回転コネクタＢを示す斜視図である。上記回転コネクタＢも雨水集水具Ａと同じく、硬質塩化ビニル樹脂を一体成形して得られたものである。図３に示されるように、上記回転コネクタＢは略円筒形の内筒４と略角筒形の外筒５とからなり、内筒４は支持桿６により外筒５と連結され、支持されている。一方内筒４の内周面には一定間隔で円周方向に４個の係止片４１が凸設され、雨水集水具Ａの落とし口２に回転コネクタＢの内筒４を外嵌させたとき、この係止片４１は、上記した突条縁２１を弾性変形して越え、回転自在に係止される。
【００２０】
一方、上記内筒４の内面上部には、上記係合突起３１が弾性的に嵌入するためのストッパ用凹部３２が設けられ、雨水集水具Ａに回転コネクタＢを外嵌させた状態で該回転コネクタＢを回転すると、ストッパ用凹部３２にいずれか一つの係合突起３１が弾性的に嵌入し、回転コネクタＢの回転は停止し、位置決めされる。上記したように、係合突起３１は集水具本体１の前後、左右に９０度間隔で４個設けられているため、回転コネクタＢを最大９０度回転させることにより、ストッパ用凹部３２に係合突起３１の一つが係合して回転コネクタＢが位置決めされる。このとき、外筒５は集水具本体１と類似した角筒形とされているため、雨水集水具Ａ及び回転コネクタＢはいずれの面においてもその向きが揃い外観性よく納まり、雨水集水具Ａに回転コネクタＢを体裁よく装着することができる。
【００２１】
図４は、本発明にかかる雨水集水具Ａと回転コネクタＢとからなる竪樋接続構造を壁面Ｗに固定し、竪樋Ｃを接続した状態を示す外観斜視図である。図４に示すように、雨水集水具Ａと回転コネクタＢとがいずれも正面を向いているため、外観的に統一感のあるものとなり、竪樋Ｃを見映えよく壁面Ｗに取り付けることができる。また、ストッパ用凹部３２にいずれか一つの係合突起３１が係合しているため、強風や外力によって回転コネクタＢが回ったり、ずれたりすることがなく、落とし口２に竪樋Ｃがしっかりと接続される。
【００２２】
以上述べた実施形態においては、雨水集水具Ａと回転コネクタＢとはいずれも略角筒形のものを用いているが、この形態には限定されず、例えば、いずれも略円筒形としてもよい。また、着色も自由であり、グレー、白、茶色等所望の色とすることもできる。このように本発明は、設計変更自在であり、特許請求の範囲を逸脱しない限り、本発明の技術的範囲に含まれる。
【図面の簡単な説明】
【００２３】
【図１】本願発明の実施形態にかかる雨水集水具を示す斜視図。
【図２】本願発明の実施形態にかかる雨水集水具を示す正面図。
【図３】本願発明の竪樋接続構造を構成する回転コネクタを示す斜視図。
【図４】本願発明の竪樋接続構造に竪樋を接続した状態を示す外観斜視図。
【図５】公知の集水器への竪樋部材の接続構造を示す説明図。
【符号の説明】
【００２４】
Ａ      雨水集水具
Ｂ      回転コネクタ
Ｃ      竪樋
Ｗ      壁面
１      集水具本体
２      落とし口
２１    突条縁
３１    係合突起
３２    ストッパ用凹部
４      内筒
４１    係止片
５      外筒
６      支持桿
Ｄ      公知の竪樋部材の接続構造
１ａ    継手リング
１１ａ  被係止縁
１２ａ  抑え縁
１３ａ  接続縁
１３ｂ  貫入隙間
１４ａ  ストッパ片
２ａ    竪樋部材
３ａ    集水器
３１ａ  落とし口
３２ａ  継手リング係止縁
４ａ    係止突起
【図１】
2009079351.tif 000003
【図２】
2009079351.tif 000004
【図３】
2009079351.tif 000005
【図４】
2009079351.tif 000006
【図５】
2009079351.tif 000007